(57)【特許請求の範囲】
【請求項１】
建築物と、該建築物の周囲に目地を介して隣接する地盤との間に差し渡されて前記目地を覆うカバー体の一端を、前記建築物の外壁面に連結手段を介して揺動もしくは上下回動可能に連結するとともに、
前記連結手段を、
建築物の外壁面から外側方に水平状に突設されて、目地の長手方向に沿って延在するブラケットと、
前記ブラケットの上面に形成されて、カバー体の下面に接触し、該カバー体を揺動可能に支持する支持縁と、
前記ブラケットに立設されて、カバー体の底板に形成された挿通孔に遊嵌され、その上端にばね受部材が被着された複数の連結杆と、
前記連結杆に外嵌されて、カバー体の底板とばね受部材との間に介装され、カバー体を下方に付勢するばねと
によって構成し、
さらにカバー体の他端を自由端とし、該自由端にその下面から外端上面に向けて傾斜する傾斜端を形成する一方、前記地盤の側縁上面に前記傾斜端と略同一勾配で傾斜する傾斜受縁を形成し、該傾斜受縁上に、前記カバー体の上面が地盤の上面と略面一となるようにして前記カバー体の傾斜端を乗載したことを特徴とする目地カバー装置。
【請求項２】
建築物と、該建築物の周囲に目地を介して隣接する地盤との間に差し渡されて前記目地を覆うカバー体の一端を、前記建築物の外壁面に連結手段を介して揺動もしくは上下回動可能に連結するとともに、
前記連結手段を、
建築物の外壁面に固定される取付け基盤から外側方に垂直状に突設され、目地の長手方向に沿って所定間隔で配設される複数の二股状ブラケットと、
前記各二股状ブラケット間に嵌入されて上下方向に回動可能に枢結される複数の枢結片が下面に突成され、上面でカバー体の下面を支持する支持板を備え、さらに該支持板とカバー体とを固定する固定手段を備えてなる回動支持体と
によって構成し、
さらにカバー体の他端を自由端とし、該自由端にその下面から外端上面に向けて傾斜する傾斜端を形成する一方、前記地盤の側縁上面に前記傾斜端と略同一勾配で傾斜する傾斜受縁を形成し、該傾斜受縁上に、前記カバー体の上面が地盤の上面と略面一となるようにして前記カバー体の傾斜端を乗載したことを特徴とする目地カバー装置。
【発明の詳細な説明】
【０００１】
【発明の属する技術分野】
本発明は、建築物と、該建築物の周囲に目地を介して隣接する地盤との間に差し渡されて前記目地を覆う目地カバー装置に関する。
【０００２】
【従来の技術】
図８に示すように、緩衝機能を備えた免震装置ａによって下部が支持された建築物ｂにあっては、該建築物ｂの周囲の地盤ｃとの間に、地震時における該建築物ｂの水平方向の揺れを吸収し得る所定幅の目地ｓが形成されており、該目地ｓの上方には該目地ｓを遮蔽するための張り出し縁ｄが建築物ｂの外壁面から外側方に水平状に突成されている。
【０００３】
【発明が解決しようとする課題】
前記張り出し縁ｄは、建築物ｂの周囲に沿って連続状に設けられるものであって、コンクリート等によって構成された建築物ｂの外壁に一体形成されており、所定の厚みを有している。このため、張り出し縁ｄと周囲の地盤ｃとの間には必然的に段差ｈが生じることとなり、特に、建築物ｂの出入り口にあたる部分では該段差ｈが通行等の障害になるという問題点があった。
【０００４】
本発明は、かかる従来の問題点を解消し得る目地カバー装置の提供を目的とするものである。
【０００５】
【課題を解決するための手段】
本発明は、建築物と、該建築物の周囲に目地を介して隣接する地盤との間に差し渡されて前記目地を覆うカバー体を具備した目地カバー装置において、カバー体の自由端にその下面から外端上面に向けて傾斜する傾斜端を形成する一方、前記地盤の側縁上面に前記傾斜端と略同一勾配で傾斜する傾斜受縁を形成し、該傾斜受縁上に、前記カバー体の上面が地盤の上面と略面一となるようにして前記カバー体の傾斜端を乗載したことを特徴とする目地カバー装置である。
また、本発明は、建築物と、該建築物の周囲に目地を介して隣接する地盤との間に差し渡されて前記目地を覆うカバー体の一端を、前記建築物の外壁面に連結手段を介して揺動もしくは上下回動可能に連結するとともに、該カバー体の他端を自由端とし、該自由端にその下面から外端上面に向けて傾斜する傾斜端を形成する一方、前記地盤の側縁上面に前記傾斜端と略同一勾配で傾斜する傾斜受縁を形成し、該傾斜受縁上に、前記カバー体の上面が地盤の上面と略面一となるようにして前記カバー体の傾斜端を乗載したことを特徴とする目地カバー装置である。
【０００６】
かかる構成にあって、カバー体の上面が地盤の上面と略面一となるように設けられていることにより、常時は、該カバー体と周囲の地盤との間に段差が生じることがない。また、地震時において、建築物と、隣接する地盤とが近接する方向に相対変位すると、カバー体は、自由端に形成された傾斜端が、地盤の側縁上面に形成された傾斜受縁に沿ってずれ上がることにより、その相対変位から逃げることができる。この時、カバー体の一端が、前記建築物の外壁面に連結手段を介して揺動もしくは上下回動可能に連結されている場合には、カバー体が連結部を支点として傾動することとなる。
【０００７】
前記構成にあって、前記連結手段を、
建築物の外壁面から外側方に水平状に突設されて、目地の長手方向に沿って延在するブラケットと、
前記ブラケットの上面に形成されて、カバー体の下面に接触し、該カバー体を揺動可能に支持する支持縁と、
前記ブラケットに立設されて、カバー体の底板に形成された挿通孔に遊嵌され、その上端にばね受部材が被着された複数の連結杆と、
前記連結杆に外嵌されて、カバー体の底板とばね受部材との間に介装され、カバー体を下方に付勢するばねとによって構成したり、
或は、建築物の外壁面から外側方に垂直状に突設され、目地の長手方向に沿って所定間隔で配設された複数のブラケットと、
前記各ブラケットに上下方向に回動可能に枢結される複数の枢結片が下面に突成され、上面でカバー体の下面を支持する支持板を備え、さらに該支持板とカバー体とを固定する固定手段を備えてなる回動支持体とによって構成したものが連結手段の好適な実施態様として提案され得る。
【０００８】
【発明の実施の形態】
本発明の一実施例を図１〜図４について説明する。
図面において、Ａは建築物、Ｂは該建築物Ａの周囲に形成された人工の地盤であって、目地ｓを介して隣接している。前記建築物Ａは、図示省略されているが、緩衝機能を備えた免震装置によって下部が支持されており、免震構造となっている。また、目地ｓは、建築物Ａの周囲に沿って所定幅で形成され、地震時における建築物Ａと周囲の地盤Ｂとの水平方向の相対的な揺れを吸収し得るようになっている。
【０００９】
前記地盤Ｂの側縁上面には、目地ｓに向けて緩やかな下り勾配で傾斜する傾斜受縁１が形成されている。また、該傾斜受縁１の下縁部には通水溝路２が形成されており、地盤Ｂの上面３から流入する雨水等を該通水溝路２によって排水して、雨水等の目地ｓへの流入を防止するようにしている。また、通水溝路２の内側壁２’の上縁には後述のカバー体Ｃの下面を支持する支持部材４が配設されている。
【００１０】
建築物Ａと地盤Ｂとの間には、カバー体Ｃが差し渡され、目地ｓを覆っている。該カバー体Ｃは、目地ｓの長手方向に沿って複数個を連続状に配設したものであって、各カバー体Ｃは、その一端の下部が建築物Ａの外壁面５に後述の連結手段６Ａを介して揺動可能に連結され、他端を自由端としており、該自由端にはその下面から外端上面に向けて緩やかに傾斜する傾斜端７が形成されている。該傾斜端７は、前記地盤Ｂの傾斜受縁１と略同一勾配となっている。そして、該傾斜端７が、カバー体Ｃの上面８が地盤Ｂの上面３と略面一となるようにして前記傾斜受縁１上に乗載されている。
【００１１】
前記カバー体Ｃは、矩形状の周枠の内部が仕切板９によって上下に区画され、上部には仕上材１０が充填される凹部１１が形成されており、下部は複数のメインバー１２ａとクロスバー１２ｂとを格子状に配設してなる剛性基枠部１３によって構成されている。該剛性基枠部１３はグレーチングとして一般に用いられるものと同一の構造であり、この剛性基枠部１３によって、カバー体Ｃ上に大荷重がかかっても、これに耐え得る強度を得るようにしている。また、カバー体Ｃの周枠の前縁部は、垂直板部３２ａと該垂直板部３２ａの上端から前方に突成された水平板部３２ｂとにより断面Ｌ形に形成され、該垂直板部３２ａと水平板部３２ｂ間に略三角形状の複数の傾斜板３２ｃが配設されており、これを前記傾斜端７としている。また、前記凹部１１には、モルタルｍ及びタイルｔ等からなる床仕上材１０を充填するようにしている。
【００１２】
尚、カバー体Ｃは、所定の荷重に耐え得る強度を備えたものであればよく、上記構造に限定されるものではない。
【００１３】
次に前記連結手段６Ａを図２，図３に基づいて説明する。
建築物Ａの外壁面５には、目地ｓの長手方向に沿って延在するようにブラケット１４が配設されている。該ブラケット１４は、水平片部１４ａと垂直片部１４ｂとを備えた断面Ｌ形に形成されており、垂直片部１４ｂを、外壁面５から突出されたボルト１５にナット１６で固定することによって、水平片部１４ａが建築物Ａの外壁面５から外側方に水平状に突設されるようにしている。また、水平片部１４ａの上面には、図３に示すように、断面半円状に形成された支持体１７が配設されており、その周面を、カバー体Ｃの下面に線接触して該カバー体Ｃを揺動可能に支持する支持縁１８としている。尚、該支持縁１８は、前記支持体１７を断面三角形状に形成して、その上部稜線を支持縁１８とすることもできる。そしてこのように、水平片部１４ａの上面に、支持縁１８を備えた支持体１７を配設することにより、カバー体Ｃの揺動時の支点が一定するようにしている。
【００１４】
さらに、前記ブラケット１４の水平片部１４ａには、螺子杆からなる複数の連結杆１９が所定間隔で立設されている。各連結杆１９は、前記支持縁１８でカバー体Ｃの下面を支持した状態において、カバー体Ｃの底板２０に形成された挿通孔２１に遊嵌され、その上端には袋ナットからなるばね受部材２２が螺着されている。また、各連結杆１９には、前記ばね受部材２２とカバー体Ｃの底板２０との間に介装するようにしてコイル状のばね２３が外嵌されており、該ばね２３によってカバー体Ｃを常時下方に付勢するようにしている。これによりカバー体Ｃの一端がブラケット１４に対して揺動可能となっている。
【００１５】
これにより連結手段６Ａが構成され、該連結手段６Ａによってカバー体Ｃの一端が建築物Ａの外壁面５に揺動可能に連結されている。また、この連結状態において、カバー体Ｃの上面８が建築物Ａの床ｆの上面と同一高さとなるようにしている。
【００１６】
かかる構成にあって、カバー体Ｃは、その自由端側の上面８が地盤Ｂの上面３と略面一となるように配設されていることにより、常時は、図４イに示すように、該カバー体Ｃと地盤Ｂとの間に段差が生じることがない。また、地震時において、建築物Ａと、隣接する地盤Ｂとが近接する方向に相対変位すると、カバー体Ｃは、図４ロに示すように、連結手段６Ａにより連結された一端を支点として、自由端に形成された傾斜端７が、地盤Ｂの側縁上面に形成された傾斜受縁１に沿ってずれ上がることにより、その相対変位から逃げることができる。これにより、建築物Ａ及びカバー体Ｃの損傷が防止され得る。
【００１７】
また、建築物Ａと、隣接する地盤Ｂとが離れる方向に相対変位すると、カバー体Ｃは、図１に示すように、その下面が支持部材４に支持されていることにより、該支持部材４上を摺動し、自由端の傾斜端７が地盤Ｂの傾斜受縁１から離れてその相対変位に追従する。そして、地震が終って建築物Ａと地盤Ｂとが定常位置に戻ると、これに伴なって自由端の傾斜端７が地盤Ｂの傾斜受縁１上に乗載され、カバー体Ｃが図４イに示す定常状態に復帰する。
【００１８】
図５は、他の構成からなる連結手段６Ｂを備えた目地カバー装置を示すものであって、連結手段６Ｂ以外は前記実施例と同一構成であるので、同一部分には同一符合を付してその説明を省略する。以下に、この連結手段６Ｂを図６，図７に基づいて説明する。
【００１９】
建築物Ａの外壁面５には、目地ｓの長手方向に沿って所定間隔で複数のブラケット２４が配設されている。各ブラケット２４は、取付け基盤２５に夫々その基部が固着されており、該取付け基盤２５を建築物Ａの外壁面５から突出されたボルト１５にナット１６で固定することによって、建築物Ａの外壁面５から外側方に垂直状に突設されている。
【００２０】
各ブラケット２４には、回動支持体２６の枢結片２７が支軸２８を介して上下方向に回動可能に枢結されている。該回動支持体２６は、図７に示すように、目地ｓの長手方向に沿って配設される支持板２９の下面に、前記ブラケット２４に対応させて複数の枢結片２７が下方突成されており、各枢結片２７を、支軸２８を介してブラケット２４に夫々枢結することによって、上下方向に回動可能となっている。
【００２１】
前記回動支持体２６の支持板２９には、複数のボルト３０が所定間隔で立設されている。各ボルト３０は、支持板２９上にカバー体Ｃの一端を乗載した状態において、該カバー体Ｃの底板２０に形成された挿通孔３１に嵌挿され、その突出端に螺合されたナット３２の緊締作用を介してカバー体Ｃの底板２０に連結されている。そして、このボルト３０とナット３２を、支持板２９とカバー体Ｃとを固定する固定手段としている。
【００２２】
これにより連結手段６Ｂが構成され、該連結手段６Ｂによってカバー体Ｃの一端が建築物Ａの外壁面５に回動可能に連結されている。
【００２３】
かかる構成にあって、地震時において、建築物Ａと、隣接する地盤Ｂとが近接する方向に相対変位すると、自由端に形成された傾斜端７が、地盤Ｂの側縁上面に形成された傾斜受縁１に沿ってずれ上がり、これに伴なって、外壁面５側に連結されたカバー体Ｃの一端が、連結手段６Ｂの支軸２８を支点として回動する。これにより、図４ロに示すように、カバー体Ｃが傾斜して前記相対変位から逃げることができ、建築物Ａ及びカバー体Ｃの損傷が防止され得る。
【００２４】
また、建築物Ａと、隣接する地盤Ｂとが離れる方向に相対変位すると、カバー体Ｃは、支持部材４上を摺動してその相対変位に追従する。そして、地震が終って建築物Ａと地盤Ｂとが定常位置に戻ると、これに伴なって自由端の傾斜端７が地盤Ｂの傾斜受縁１上に乗載され、カバー体Ｃが図４イに示す定常状態に復帰する。
【００２５】
尚、本発明にかかる目地カバー装置は、免震装置によって下部が支持された免震構造の建築物以外の一般的な建築物にも適用することが可能である。
【００２６】
【発明の効果】
本発明は、上述のように、カバー体Ｃの自由端にその下面から外端上面に向けて傾斜する傾斜端７を形成する一方、地盤Ｂの側縁上面に前記傾斜端７と略同一勾配で傾斜する傾斜受縁１を形成し、該傾斜受縁１上に、前記カバー体Ｃの上面が地盤の上面と略面一となるようにして前記カバー体Ｃの傾斜端７を乗載したから、カバー体Ｃと地盤Ｂとの間に段差が生じることがなく、これにより、建築物Ａの出入り口部分の段差が通行等の障害になるという従来の問題点を解消することができる。
【００２７】
また、地震時において、建築物Ａと、隣接する地盤Ｂとが近接する方向に相対変位すると、カバー体Ｃは、自由端に形成された傾斜端７が、地盤Ｂの側縁上面に形成された傾斜受縁１に沿ってずれ上がることにより、その相対変位から逃げることができるので、建築物Ａ及びカバー体Ｃの損傷を防止することができる。
【００２８】
さらに、カバー体Ｃの一端を、前記建築物Ａの外壁面５に連結手段６Ａを介して揺動可能に連結するか、もしくは連結手段６Ｂを介して上下回動可能に連結した場合には、カバー体Ｃが連結部６Ａ，６Ｂを支点として傾動して、前記相対変位から逃げることができる等の優れた効果がある。
【図面の簡単な説明】
【図１】本発明に係る目地カバー装置の施工状態を示す縦断側面図である。
【図２】連結手段６Ａ部分の拡大図である。
【図３】連結手段６Ａを構成するブラケット１４部分の斜視図である。
【図４】カバー体Ｃの作用を示す概略図である。
【図５】他の構成からなる連結手段６Ｂを備えた目地カバー装置の施工状態を示す縦断側面図である。
【図６】連結手段６Ｂ部分の拡大図である。
【図７】連結手段６Ｂを構成する回動支持体２６部分の斜視図である。
【図８】従来構成の縦断側面図である。
【符号の説明】
ｓ  目地
Ａ  建築物
Ｂ  地盤
Ｃ  カバー体
１  傾斜受縁
５  外壁面
６Ａ  連結手段
６Ｂ  連結手段
７  傾斜端
１４  ブラケット
１８  支持縁
１９  連結杆
２０  底板
２１  挿通孔
２２  ばね受部材
２３  ばね
２４  ブラケット
２６  回動支持体
２７  枢結片
２９  支持板
３０  ボルト（固定手段）
３２  ナット（固定手段）
【図１】
0003787402.tif 000002
【図２】
0003787402.tif 000003
【図３】
0003787402.tif 000004
【図４】
0003787402.tif 000005
【図５】
0003787402.tif 000006
【図６】
0003787402.tif 000007
【図７】
0003787402.tif 000008
【図８】
0003787402.tif 000009